(57)【特許請求の範囲】
【請求項１】
傾斜台が、少なくとも２つの蝶番で接続された車椅子の走行方向に延びている、強化ファイバーグラス材料で覆われた折れ目を形成する少なくとも２枚の剛性の発泡材料から形成されたリーフを有し、前記蝶番はそれぞれの隣接リーフへ取り付けられ、それらの隣接リーフの間に延びる織物のストラップにより形成されている軽量のポータブル式車椅子傾斜台であって、各リーフは上表面と下表面とを有し、そして各蝶番はそれぞれのリーフの間の空間を通って一方のリーフから他方のリーフへ延びる一対のストラップを備え、第１の前記ストラップは第１のリーフの前記上表面へ取り付けられ、そしてリーフとリーフの間を通って第２のリーフの前記下表面へ取り付けられており、そして第２の前記ストラップは第１のリーフの下表面へ取り付けられ、そしてリーフとリーフの間を通って第２のリーフの上表面へ取り付けられ、前記強化ファイバーグラス材料はこれらのリーフ上に堅い保護被覆を付与し、これらのリーフが畳まれた状態では組み合わされるようにリーフのそれぞれの幅が決められていることを特徴とする前記ポータブル式車椅子傾斜台。
【請求項２】
各ストラップは傾斜台の一方のリーフの上表面から他方の下表面へ連続的に延びていて、それぞれのリーフの前記上表面と下表面のうち互いに異なる面を交互にそれぞれ通っている請求項１に記載のポータブル式車椅子傾斜台。
【請求項３】
各々のリーフは、前記ストラップと交差する方向に延びる縦溝を備えており、その縦溝は各々のリーフの長手方向の一方の端に開いており、もう一方の端の近傍で終わっている請求項１もしくは２に記載のポータブル式車椅子傾斜台。
【請求項４】
それぞれの蝶番を形成している各ストラップは各リーフの溝を通過している請求項３に記載のポータブル式車椅子傾斜台。
【発明の詳細な説明】
【０００１】
【発明の属する技術分野】
本発明は改良された車椅子傾斜台に係るものであり、更に具体的に言えば簡単に折りたたんで、軽量であり、そして扱い易い傾斜台である。
【０００２】
【従来の技術】
多くのビルディングや公共施設は車椅子の使用者が利用する傾斜台をその構造に取り込んでいるが、車椅子の通過を妨げる多くのビルディング内の場所、車道と歩道との境の溝、階段、下水溝等がある。
【０００３】
車椅子の利用者が大きな問題とする別の箇所は車の乗り降りであり、特に電車、バスそして自動車の乗り降りである。バスやタクシーによっては車椅子に座ったままで、車椅子を収容するようになっているものもあるが、その車まで近づかなければならない。電車や汽車の駅のプラットホームには健全な人にとっては問題のない昇降段が設計されているが、車椅子の使用者はこの昇降段を利用して電車に乗り降りすることはできない。
【０００４】
英国特許１，５７２，４６６のポータブル式車椅子傾斜台は、折りたためる回動式のリンク機構によって相互に接続された２つの間隔を開けた、平行トラック部材を備えており、傾斜台を使用しない時には運んだり、しまっておけるように折りたたんでトラック部材を隣り合わせにするようになっている。このような傾斜台は役に立つが、欠点としては車椅子の車輪をトラック部材と揃えなければならず、そして状況によっては望ましいとされることのある角度にした傾斜台に沿って車椅子が動くことができないということがある。車椅子の使用者が傾斜台をどうにか使えるように手伝いながら介護者が傾斜台の上を歩けるようにはなっていない。傾斜台は折りたためるけれども、２つのトラック部材間でトグルリンク機構を畳むため畳んだときのしまう長さが増大する。
【０００５】
オーストラリア特許５９１３０２の車椅子傾斜台は畳んで、運ぶことができ、そして使用する時下方の縁から上方の縁へ延びるある程度の柔軟性を有する。しかし、この傾斜台は製作費用が比較的高価で、ある期間使用すると蝶番取り付けの保守が必要である。この傾斜台はピアノの蝶番のような連続蝶番によって接続された３つの比較的広い部分を有し、そして不均一な表面や不平行な表面上で使用できるようある程度の柔軟性を与えるため、３つの部分のそれぞれにその部分の対角線上に延びる作動制限のしなやかな蝶番を設けている。これが傾斜台の製作費用を増加させ、そして畳んでしまう時３つの部分が幅広い一つのユニットになる。
【０００６】
【発明が解決しようとする課題】
本発明の目的は従来技術の傾斜台の一つもしくはそれ以上の不都合を解決する車椅子の傾斜台を提供することである。
本発明の別の目的は製作が簡単で、保守を殆どもしくは全く必要とせず、比較的軽量で、そして使用時に設置し易い車椅子の傾斜台を提供することである。
【０００７】
本発明の別の目的は畳んで取り扱ったり、しまえたりでき、傾斜台の縁から車椅子が落っこちないようにする安全縁を有する傾斜台を提供することである。
【０００８】
本発明のポータブル式車椅子傾斜台は、蝶番で接続された少なくとも２枚のリーフを有し、蝶番の線は車椅子の意図する通路方向に延びていて、蝶番はそれぞれの隣接リーフへ取り付けられ、それらの隣接リーフの間を延びる織物の条片により形成されていることを特徴としている。
【０００９】
別の本発明のポータブル式車椅子傾斜台は、しなやかな織物の蝶番によって取り付けられている４枚の縦リーフを含み、２枚の外側のリーフの外縁は直立の出張りもしくはフランジをそれぞれ有しており、リーフがお互いの上に畳まれるようにリーフの幅の大きさを決めていることを特徴としている。
【００１０】
【発明の実施の形態】
本発明を十分に説明するため添付図を参照する。
図１、図２に示す例では傾斜台１は３枚のリーフ２、３、４を備え、これらのリーフは軽量の強固な材料から形成されている。本発明では、これらのリーフは強化ファイバーグラス材料で覆われた剛性の発泡材料から形成されている。これは強固で、軽量の材料をつくり、強化ファイバーグラスの被覆はリーフへ耐久力のある、堅い、風雨に耐える表面をつくる。
【００１１】
しなやかな織物のような材料のストラップによりこれらのリーフは蝶番結合される。本発明では蝶番５は非常にしなやかなシート・ベルトの帯紐から形成されていて、反復して曲げても疲労することがなく、しかも引っ張り強度は大きい。各蝶番は一対のストラップから成り、これらのストラップは一つのリーフの一側へ取り付けられ、それから２枚の隣接リーフ間を通り、そしてその隣のリーフの反対側へ取り付けられる。こうして、図１に示すように、リーフ４とリーフ３との間の各蝶番点においてストラップ６はリーフ４の上表面（表の面）へ取り付けられ、それからリーフとリーフとの間を通り、そしてリーフ３の下表面（裏の面）へ取り付けられる。ストラップ７はリーフ４の下表面（裏の面）へ取り付けられ、それからリーフ３とリーフ４との間を通り、そしてリーフ３の上表面（表の面）へ取り付けられる。こうして２つのストラップ６、７は結合して蝶番を形成し、これらのストラップは相互に隣接して配置され、隣接するリーフとリーフとの間を通る所ではストラップは非常に近接しており、殆ど相互に接触している。
【００１２】
図１に示すように、ある程度の柔軟性をリーフへ与えるのが望ましいのであれば、各リーフに縦溝２５をつける。この溝は各リーフの一端から延び他端から離れた所で終わっている。こうして、各溝は各リーフの全長の３／４ないし４／５となって、各リーフはある程度柔軟となる。所望の柔軟性を与えながらも一体としてリーフを縛りつけるには蝶番ストラップは各リーフを横断するが、そうするとき、これらの溝を通ってストラップは各リーフの一側から他側へ通るようになる。
【００１３】
このように、各ストラップが傾斜台の一側から他側へ連続しているのが好ましい。また、グラスファイバーが塗布される前にストラップが正しい位置に配置されているのが好ましく、そうであればガラスファイバーがストラップをリーフへ固着し、そしてまたストラップへ保護被覆を与えるからである。
【００１４】
各リーフの一端はテーパ８となっていて、そのため傾斜台はその下表面を下にすると、その下表面から傾斜台への段はとても小さくなる。リーフの他端には浅い湾曲面９を設け、この湾曲面９の先端１０は傾斜台をその上表面を下にして位置決めするのを助ける。
【００１５】
図３〜図６が示す本発明の別の実施例ではリーフには縦溝はつけられてはいない。傾斜台１１は４枚のリーフ１２、１３、１４、１５を備え、これらは上に述べたようにして蝶番線１６、１７、１８に沿って一緒に蝶番付けされるが、ある程度の柔軟性を与えるための中心溝はない。こうしてこの場合には、ストラップは各リーフの一側の全幅にわたって連続し、それから隣合うリーフとリーフとの間を通り、前のリーフとは反対の側で隣のリーフの全幅を通る。
【００１６】
この実施例ではリーフ１２の外縁には安全出張り１９、リーフ１５の外縁には安全出張り２０がそれぞれ設けられている。これらの出張りは、車椅子が傾斜台の縁から落っこちないようにする安全障壁として作用するガイド兼バリアーとなっている。
【００１７】
この実施例では２枚の中心リーフ１３、１４は同じ幅を有し、そしてこれらのリーフが畳まれ、外側のリーフと組み合うには一枚の外側リーフ例えばリーフ１２の幅は大きい。また、リーフ１２を畳み、組み合わせれるようにするにはリーフ１５はリーフ１２よりも幅が大きく、そして図６に見るように２つの出張りは畳まれたリーフの方へ、内方へ延び、出張り１９は出張り２０の内側を通る。
【００１８】
こうして、本発明が小型軽量のポータブル式傾斜台を提供するものであることを理解されよう。傾斜台は適当な長さとされ、そして車椅子のキャリヤー内に、もしくは車椅子にて運ばれるように小さくできる。車椅子の人が汽車に乗り降りできるように傾斜台を迅速に正しい位置に置くことができるようにする場合、汽車の客車のような車で他のユニットを運ぶことができる。
【００１９】
傾斜台はどちら側からでも畳めることができ、そしてその畳むことによってリーフは一方を他方の上にして組合わさり、出張りも組合わさって便利に、容易に扱えるユニットとなる。
【００２０】
図４に示すように、使用する時上端となる傾斜台の端の窪み部分２１の上端へグリップもしくは他の耐磨耗位置決め部材２２を設ける。傾斜台の他端の下側にテーパ２３をつけ、そしてこれにもグリップ兼耐磨耗部材２４を設ける。傾斜台のこの部分について２つの例を示した。
【００２１】
側縁付きの傾斜台は簡単に畳んで扱うことができ、適当な長さに形成することができ、側縁の出張りは傾斜台の縁から車椅子が落っこちるのを防いで、使用者の安全を講じている。
【００２２】
本発明の様々な実施例をやや詳細に説明したが、本発明はこれらの実施例に限定されるべきものではなく、本発明の思想とその範囲に含まれる変形、改変は含まれるものとする。
【図面の簡単な説明】
【図１】  広げた状態での本発明の一実施例を示す。
【図２】  しまっておいたり、運んだりするため畳んだ状態での傾斜台を示す。
【図３】  本発明の別の実施例の平面図である。
【図４】  図３の傾斜台の側面図である。
【図５】  図４の傾斜台の端面図である。
【図６】  畳んだ状態での傾斜台の端面図である。
【図１】
0003668740.tif 000002
【図２】
0003668740.tif 000003
【図３】
0003668740.tif 000004
【図４】
0003668740.tif 000005
【図５】
0003668740.tif 000006
【図６】
0003668740.tif 000007